(57)【特許請求の範囲】
【請求項１】
電気手術エネルギーを生成するように構成された無線周波生成器を備え、前記無線周波生成器が、検出回路を含み、前記検出回路が、
抵抗ラダーと、
前記抵抗ラダーと電気的に通信する絶縁変圧器と、
を含み、
前記検出回路が、前記絶縁変圧器にまたがるインピーダンスの変化を検出することと、インピーダンスの前記変化を複数の所定のエネルギー閾値の１つと相関させることとをするように構成され、
前記検出回路が、第１の周波数における無線周波エネルギーを生成するように構成された第１の無線周波発振器をさらに含み、
前記無線周波生成器が、前記第１の周波数より大きな第２の周波数における無線周波エネルギーを生成するように構成された第２の無線周波発振器を含む、
電気手術装置。
【請求項２】
請求項１に記載の電気手術装置において、
前記検出回路が、複数の指スイッチ導体を含み、前記抵抗ラダーにおける各抵抗器が、前記複数の指スイッチ導体の対応する１つに電気的に結合された負荷抵抗器である、
電気手術装置。
【請求項３】
請求項２に記載の電気手術装置において、
前記抵抗ラダーにおける各前記抵抗器が、前記抵抗ラダーにおける他のすべての抵抗器と異なる抵抗値をもつ、
電気手術装置。
【請求項４】
請求項１に記載の電気手術装置において、
前記第１の無線周波発振器が、前記絶縁変圧器と電気的に通信する、
電気手術装置。
【請求項５】
請求項４に記載の電気手術装置において、
前記検出回路が、前記第１の無線周波発振器と前記絶縁変圧器との間に配置された電流検出抵抗器を含み、前記電流検出抵抗器が、前記絶縁変圧器にまたがる電流の変化を測定するように構成された、
電気手術装置。
【請求項６】
請求項５に記載の電気手術装置において、
前記電流検出抵抗器が、差動増幅器と通信する、
電気手術装置。
【請求項７】
請求項６に記載の電気手術装置において、
前記差動増幅器が、サレンキーフィルタと通信する、
電気手術装置。
【請求項８】
請求項１に記載の電気手術装置において、
前記複数の所定のエネルギー閾値が、少なくとも４つの所定のエネルギー閾値を含み、
前記４つの所定のエネルギー閾値の各々が、１２ビットのＡＤＣ値を含む、
電気手術装置。
【請求項９】
請求項１に記載の電気手術装置において、
前記抵抗ラダーが、３つの抵抗器を含む、
電気手術装置。
【請求項１０】
電気手術エネルギーを生成するように構成された無線周波生成器を備え、前記無線周波生成器が、検出回路を含み、前記検出回路が、
複数の指スイッチ導体であって、前記複数の指スイッチ導体の各々が、電気手術手持ち部における対応する指スイッチと電気的に通信するように構成され、各前記指スイッチが、開位置と閉位置とを含み、前記複数の指スイッチ導体の各々が、少なくとも１つの抵抗器を含み、前記複数の指スイッチ導体の各々における前記少なくとも１つの抵抗器が、
集合的に抵抗ラダーを構成する、前記複数の指スイッチ導体と、
前記複数の指スイッチ導体と前記抵抗ラダーと電気的に通信する絶縁変圧器と、
を含み、
前記検出回路が、前記対応する指スイッチのいずれか１つが前記閉位置に配置されたときに、前記絶縁変圧器にまたがるインピーダンスの変化を検出するように構成され、
前記電気手術手持ち部が、３つの指スイッチを含み、
前記３つの指スイッチのうちの第１の指スイッチが、組織を切除するように構成された無線周波波形を伝達することを前記電気手術生成器に通知するように構成され、
前記３つの指スイッチのうちの第２の指スイッチが、組織を凝固させるように構成された無線周波波形を伝達することを前記電気手術生成器に通知するように構成され、
前記３つの指スイッチのうちの第３の指スイッチが、組織を凝固させるように構成された無線周波波形を伝達することと、生理食塩水の伝達を開始することとを前記電気手術生成器に通知するように構成された、
電気手術装置。
【請求項１１】
請求項１０に記載の電気手術装置において、
前記検出回路が、インピーダンスの前記変化を複数の所定のエネルギー閾値の１つと相関させるようにさらに構成された、
電気手術装置。
【請求項１２】
請求項１０に記載の電気手術装置において、
前記抵抗ラダーにおける各前記抵抗器が、対応する指スイッチ導体に電気的に結合された負荷抵抗器である、
電気手術装置。
【請求項１３】
請求項１２に記載の電気手術装置において、
前記抵抗ラダーにおける各前記抵抗器が、前記抵抗ラダーにおける他のすべての抵抗器と異なる抵抗値をもつ、
電気手術装置。
【請求項１４】
請求項１０に記載の電気手術装置において、
前記検出回路が、第１の周波数における無線周波エネルギーを生成するように構成された第１の無線周波発振器をさらに含み、前記無線周波生成器が、前記第１の周波数より大きな第２の周波数における無線周波エネルギーを生成するように構成された第２の無線周波発振器を含む、
電気手術装置。
【請求項１５】
請求項１４に記載の電気手術装置において、
前記第１の無線周波発振器が、前記絶縁変圧器と電気的に通信する、
電気手術装置。
【請求項１６】
請求項１５に記載の電気手術装置において、
前記検出回路が、前記第１の無線周波発振器と前記絶縁変圧器との間に配置された電流検出抵抗器を含み、前記電流検出抵抗器が、前記絶縁変圧器にまたがる電流の変化を測定するように構成された、
電気手術装置。
【請求項１７】
請求項１６に記載の電気手術装置において、
前記電流検出抵抗器が、差動増幅器と通信する、
電気手術装置。
【請求項１８】
請求項１１に記載の電気手術装置において、
前記複数の所定のエネルギー閾値が、少なくとも４つの所定のエネルギー閾値を含み、
前記４つの所定のエネルギー閾値の各々が、１２ビットのＡＤＣ値を含む、
電気手術装置。
【請求項１９】
電気手術エネルギーを生成するように構成された無線周波生成器を備え、前記無線周波生成器が、検出回路を含み、前記検出回路が、
３つの指スイッチ導体であって、前記３つの指スイッチ導体の各々が、電気手術手持ち部における対応する指スイッチと電気的に通信するように構成され、各前記指スイッチが、開位置と閉位置とを含み、前記３つの指スイッチ導体の各々が、少なくとも１つの負荷抵抗器を含み、前記複数の指スイッチ導体の各々における前記少なくとも１つの負荷抵抗器が、集合的に抵抗ラダーを構成し、他のすべての負荷抵抗器とは異なる抵抗値をもつ、前記３つの指スイッチ導体と、
前記３つの指スイッチ導体と前記抵抗ラダーと電気的に通信する絶縁変圧器と、
第１の周波数における無線周波エネルギーを生成するように構成された第１の無線周波発振器であって、前記無線周波生成器が、前記第１の周波数より大きな第２の周波数における無線周波エネルギーを生成するように構成された第２の無線周波発振器を含む、前記第１の無線周波発振器と、
前記第１の無線周波発振器と前記絶縁変圧器との間に配置された電流検出抵抗器であって、前記電流検出抵抗器が、前記絶縁変圧器にまたがる電流の変化を測定するように構成された、前記電流検出抵抗器と、
前記電流検出抵抗器と通信する差動増幅器と、
前記差動増幅器と通信するサレンキーフィルタと、
を含み、
前記検出回路が、前記対応する指スイッチのいずれか１つが前記閉位置に配置されたときに前記絶縁変圧器にまたがるインピーダンスの変化を検出することと、前記インピーダンスの変化を複数の所定のエネルギー閾値の１つと相関させることとをするように構成され、前記複数の所定のエネルギー閾値が、少なくとも４つの所定のエネルギー閾値を含み、前記４つの所定のエネルギー閾値の各々が、１２ビットのＡＤＣ値を含む、
電気手術装置。
【発明の詳細な説明】
【技術分野】
【０００１】
本発明は、無線周波生成器を含む電気手術装置に関し、特に、電気手術手持ち部からの信号を多重化して無線周波漏れ電流を低減するように構成された検出回路に関する。
【背景技術】
【０００２】
電気手術は、組織に対して切断、凝固、乾燥、または放電治療を行う生体組織への無線周波電気エネルギーの用途である。電気手術装置は、典型的には、電気エネルギーを供給するように構成された電気手術生成器と、電気手術装置に電気的に結合して、組織に電気エネルギーを伝達するように構成された電気手術手持ち部とを含む。手持ち部のユーザーにより要求される所望の電気エネルギーを決定するため、電気手術装置は、電気手術手持ち部から電気手術生成器へのエネルギー要求を伝達するように構成された１つまたは複数のエネルギー供給された検出回路を含み得、電気手術生成器は、電気手術手持ち部に電気手術エネルギーを供給するように構成される。エネルギー供給された検出回路は、典型的には、電気手術手持ち部における１つまたは複数の指スイッチに電気的に結合した１つまたは複数の検出回路を含む。
【０００３】
現在、電気手術手持ち部における各指スイッチは、エネルギー供給された検出回路の一部として関連する絶縁変圧器を含む。例えば、３つの異なる電力モードに対する３つの指スイッチを含む電気手術手持ち部は、典型的には、エネルギー供給された検出回路における少なくとも３つの絶縁変圧器を含む。しかし、電気手術装置とグランドとの間における不慮の電流である無線周波漏れ電流は、電気手術装置と患者との間における絶縁バリアにまたがる電気部品の数に関係する。無線周波漏れ電流は、患者のやけどを引き起こすことにより、患者に危害を加え得るので、漏れ電流を最小化することが望まれる。漏れ電流は、変圧器にまたがる寄生容量に関係するので、絶縁バリアにまたがる変圧器が多いほど、漏れ電流が多い。
【発明の概要】
【０００４】
本発明は、電気手術装置における無線周波漏れ電流を低減する検出回路を含む電気手術装置を有益に提供する。電気手術装置は、電気手術エネルギーを生成するように構成された無線周波生成器を含み、無線周波生成器は、抵抗ラダーと抵抗ラダーと電気的に通信する絶縁変圧器とを含む検出回路を含む。検出回路は、絶縁変圧器にまたがるインピーダンスの変化を検出することと、インピーダンスの変化を複数の所定のエネルギー閾値の１つと相関させることとをするように構成される。
【０００５】
他の一実施形態において、電気手術装置は、電気手術エネルギーを生成するように構成された無線周波生成器を含む。無線周波生成器は、複数の指スイッチ導体を含む検出回路を含む。複数の指スイッチ導体の各々は、電気手術手持ち部における対応する指スイッチと電気的に通信するように構成される。各指スイッチは、開位置と閉位置とを含む。複数の指スイッチ導体の各々が、少なくとも１つの抵抗器を含み、複数の指スイッチ導体の各々における少なくとも１つの抵抗器が、集合的に抵抗ラダーを構成する。複数の指スイッチ導体と抵抗ラダーと電気的に通信する絶縁変圧器が含まれる。検出回路は、対応する指スイッチのいずれか１つが閉位置に配置されたときに、絶縁変圧器にまたがるインピーダンスにおける変化を検出するように構成される。
【０００６】
さらなる他の一実施形態において、電気手術装置は、電気手術エネルギーを生成するように構成された無線周波生成器を含む。無線周波生成器は、３つの指スイッチ導体を含む検出回路を含む。３つの指スイッチ導体の各々は、電気手術手持ち部における対応する指スイッチと電気的に通信するように構成され、各指スイッチが、開位置と閉位置とを含む。３つの指スイッチ導体の各々が、少なくとも１つの負荷抵抗器を含み、複数の指スイッチ導体の各々における少なくとも１つの負荷抵抗器が、集合的に抵抗ラダーを構成し、他のすべての負荷抵抗器とは異なる抵抗値をもつ。３つの指スイッチ導体と抵抗ラダーと電気的に通信する絶縁変圧器が含まれる。第１の周波数における無線周波エネルギーを生成するように構成された第１の無線周波発振器が含まれ、無線周波生成器が、第１の周波数より大きな第２の周波数における無線周波エネルギーを生成するように構成された第２の無線周波発振器をさらに含む。電流検出抵抗器が、第１の無線周波発振器と絶縁変圧器との間に配置され、電流検出抵抗器が、絶縁変圧器にまたがる電流の変化を測定するように構成される。差動増幅器が、電流検出抵抗器と通信する。サレンキーフィルタが、差動増幅器と通信する。検出回路は、対応する指スイッチのいずれか１つが閉位置に配置されたときに絶縁変圧器にまたがるインピーダンスの変化を検出することと、インピーダンスの変化を複数の所定のエネルギー閾値の１つと相関させることとをするように構成され、複数の所定のエネルギー閾値が、少なくとも４つの所定のエネルギー閾値を含み、４つの所定のエネルギー閾値の各々が、１２ビットのＡＤＣ値を含む。
【０００７】
本発明のより完全な理解と、それに付随する利点と特徴とは、添付図面をあわせて考慮しながら以下の詳細な説明を参照することで、より容易に理解される。
【図面の簡単な説明】
【０００８】
【図１】本出願の原理に従って構築された電気手術手持ち部と電気手術装置との正面斜視図である。
【図２】図１に示される電気手術手持ち部の検出回路の概略図である。
【図３】図１に示される電気手術装置の無線周波生成器と通信する図２に示される検出回路の概略図である。
【発明を実施するための形態】
【０００９】
本明細書において使用されるとき、例えば、「第１の」および「第２の」、「上」および「下」、「前および後」といった、関係性を表す用語は、ものまたは構成要素の間における何らかの物理的なまたは理論的な関係または順序を必ずしも必要とせず、かつ暗示もせずに、１つのものまたは構成要素を他のものまたは構成要素と区別するために単独で使用され得る。
【００１０】
ここで、同様な参照符号が同様な要素を指す図面を参照して、図１に、本出願の原理に従って構築され、全体的に「１０」と表記された例示的な電気手術装置（「ＥＳＵ」：ｅｌｅｃｔｒｏｓｕｒｇｉｃａｌ  ｕｎｉｔ）を示す。ＥＳＵ１０は、ＥＳＵ１０の構成要素と回路とを収容してＥＳＵ１０の構成要素と回路とに電気的に結合するように構成された無線周波生成器１２と、無線周波生成器１２に電気的に結合した１つまたは複数の電気手術手持ち部からエネルギー要求を受信することと、処置の進捗と、例えば、インピーダンスなどの測定値とを表示することと、ＥＳＵ１０に電気的に結合され得る１つまたは複数の電気手術手持ち部に対する無線周波エネルギーと流体との供給を開始および／または終了することと、をするように構成されたタッチ操作表示装置１４とを含み得る。例示的な構成において、ＥＳＵ１０は、第１のソケット１６を含み、第１のソケット１６は、組織に双極無線周波エネルギーを伝達するように構成された第１の電気手術手持ち部１８を受容して、第１の電気手術手持ち部１８に電気結合するように構成された３ピンコネクタであり得る。ＥＳＵ１０は、単極無線周波エネルギーと、双極無線周波エネルギーおよび単極無線周波エネルギーの組み合わせとの少なくとも１つを伝達するように構成された第２の電気手術手持ち部２２を受容して、第２の電気手術手持ち部２２に電気的に結合するように構成された第２のソケット２０、例えば、７ピンソケットをさらに含み得る。例示的な構成において、第２の電気手術手持ち部２２は、全体が参照により本明細書に明示的に組み込まれる、発明の名称を「ＴＥＬＥＳＣＯＰＩＮＧ  ＤＥＶＩＣＥ  ＷＩＴＨ  ＳＡＬＩＮＥ  ＩＲＲＩＧＡＴＩＯＮ  ＬＩＮＥ」とする係属中の米国特許出願第１４／６８８，７２３号に開示される電気手術手持ち部の原理に従って構築された電気手術手持ち部である。
【００１１】
第２の電気手術手持ち部２２は、生理食塩水などの流体源（図示せず）に流体的に結合された第１の接続線２６と、第２の電気手術手持ち部２２をＥＳＵ１０に電気的に結合する第２の接続線２８とを含むハンドル２４を含み得る。第１の接続線２６と第２の接続線２８との両方が、別々の部材を介してＥＳＵ１０に結合され得るか、または、ＥＳＵ１０に接続された単一のプラグに一体化され得る。ハンドル２４は、約５００Ｖ〜１２５０Ｖの範囲内の最大電圧を、約０．２％〜１００％のデューティ比で（約７〜８０マイクロ秒からの範囲であり得るバースト持続期間に応じて）、約０．４ＭＨｚの周波数で印加するＣＵＴモードにおいて、第２の電気手術手持ち部２２を動作させるように構成された第１の指スイッチ３０ａと、約７００Ｖ〜２６００Ｖの範囲内の最大電圧を、約６〜４４％のデューティ比で（約５〜４０マイクロ秒からの範囲であり得るバースト持続期間に応じて）、約０．４ＭＨｚの周波数で印加するＣＯＡＧモードにおいて、第２の電気手術手持ち部２２を動作させるように構成された第２の指スイッチ３０ｂと、純粋なＣＵＴモードの場合と同様の電圧と周波数とデューティ比とを印加し得るか、または、生理食塩水と共に凝固するための双極無線周波エネルギーを出力するように構成され得るＴＲＡＮＳモードにおいて、第２の電気手術手持ち部２２を動作させるように構成された第３の指スイッチ３０ｃと、をさらに含み得る。第３の指スイッチ３０ｃの操作は、第２の電気手術手持ち部２２の遠位端に向かう、一定の、調節可能な、または可変な流速での生理食塩水の流れを開始するようにさらに構成される。
【００１２】
ここで図２を参照すると、指スイッチ３０の各々が、対応する指スイッチ３０に電気的に結合した対応する指スイッチ導体３２を含み得る。例えば、配線であり得る第１の指スイッチ導体３２ａは、指スイッチ３０ａに電気的に結合し得、第２の指スイッチ導体３２ｂは、第２の指スイッチ３０ｂに電気的に結合し得、第３の指スイッチ導体３２ｃは、第３の指スイッチ３０ｃに電気的に結合し得る。指スイッチ導体３２は、例えば、第２のソケット２０から無線周波生成器１２の回路内に、および、特に無線周波生成器１２の検出回路３４内に延び得る。検出回路３４は、それぞれの指スイッチ３０が操作されたとき、対応する指スイッチ導体３２を通して指スイッチ３０から中継されるエネルギー要求信号を多重化して、第２の電気手術手持ち部２２により要求されるエネルギーを決定するように構成される。要求されるエネルギー情報は、次に、第２の電気手術手持ち部２２に無線周波エネルギーを提供するように構成された無線周波生成器１２内の無線周波出力源３６に中継され得る。
【００１３】
例示的な構成において、検出回路３４は、並列に配置された指スイッチ導体３２を含む。指スイッチ導体３２の各々は、対応する負荷抵抗器３８を含む。特に、指スイッチ導体３２ａは、第１の負荷抵抗器３８ａを含み、第２の指スイッチ導体３２ｂは、第２の負荷抵抗器３８ｂを含み、第３の指スイッチ導体３２ｃは、第３の負荷抵抗器３８ｃを含む。負荷抵抗器３８は、抵抗ラダー４０を形成する。３つの負荷抵抗器３８が抵抗ラダー４０を構成するものとして示されるが、例えば、第１の電気手術手持ち部と第２の電気手術手持ち部との１つが２つの指スイッチを含む構成において２つの指スイッチ導体のみが含まれる場合、２つの抵抗器のみが抵抗ラダー４０を構成し得ることが意図される。一構成において、各負荷抵抗器３８は、同じ抵抗を含み、他の構成において、各負荷抵抗器３８は、抵抗ラダー４０における他のすべての負荷抵抗器３８とは異なる抵抗値をもつ。
【００１４】
抵抗ラダー４０は、ＥＳＵ１０と１つまたは複数の電気手術手持ち部１８および２２との間で無線周波エネルギーの供給を絶縁するように構成された絶縁変圧器４２に電気的に結合される。図２に示される特定の構成において、絶縁変圧器４２は、第２の電気手術手持ち部２２をＥＳＵ１０から電気的に絶縁する。この構成において、絶縁変圧器４２の二次巻線は、抵抗ラダー４０に電気的に結合される。特に、抵抗ラダー４０が２つ以上の負荷抵抗器を含むかどうかによらず、単一の絶縁変圧器４２が含まれ、このことが、ＥＳＵ１０で典型的に使用される絶縁変圧器の総数を減らす。特に、従来技術の多指スイッチ電気手術手持ち部は、３指スイッチ電気手術手持ち部用の少なくとも３つの絶縁変圧器に関連し、このことが、絶縁バリアにまたがる全体的な寄生容量を増やし、無線周波漏れ電流を増加させる。絶縁変圧器の数を半分に減らすことにより、約半分のキャパシタンスと、それに伴って、半分の漏れ電流とが達成される。絶縁変圧器の数を増やさずに、任意の数の指スイッチ３０と関連する指スイッチ導体３２とが追加され得る。従って、上記の原理に従って構築された検出回路４０に電気的に結合された「ｎ」個の指スイッチ３０を含む電気手術手持ち部は、検出回路４０に単一の対応する絶縁変圧器４２を含む。
【００１５】
ここで図２と図３とを参照すると、絶縁変圧器４２の一次巻線は、電流検出抵抗器４４に電気的に結合され得る。電流検出抵抗器４４は、電流検出抵抗器４４を通って流れる電流を、電圧降下の形態で検出するように構成された低抵抗な抵抗器であり、この電圧降下は、検出および増幅され得る。特に、電流検出抵抗器４４は、指スイッチ３０の１つが押下されたことによる、抵抗器４４における電圧または電流の変化を検出するように構成された、差動増幅器４６と詳細がさらに後述される他の構成要素とに結合され得る。電流検出抵抗器４４の上流は、無線周波信号を生成するように構成された第１の無線周波発振器４８と、第１の無線周波発振器４８により生成された波形を、その波形と同じ周波数でフィルタ処理するように構成された共振フィルタ５０とである。例示的な構成において、第１の無線周波発振器４８は、共振フィルタ５０により正弦波に変換された後に検出回路４０に電力を供給する４７ｋＨｚの矩形波形を生成する。対称的に、無線周波出力源３６は、約４００ｋＨｚ〜５００ｋＨｚの範囲で無線周波波形を生成して、第１の電気手術器具１８と第２の電気手術器具２２との少なくとも１つに電力を供給するように構成された第２の無線周波発振器５２を含む。例示的な一構成において、第２の無線周波発振器５２は、単一の周波数４７３ｋＨｚの波形を生成する。従って、第２の無線周波発振器５２は、第１の無線周波発振器４８の無線周波波形より約１０倍大きな無線周波波形を生成し、これが、２つの発振器間の区別できない干渉を防ぐ。
【００１６】
続けて図２と図３とを参照すると、例えば、第２の電気手術手持ち部２２のユーザーが指スイッチ３０の１つを押下したとき、押下された指スイッチと絶縁変圧器４２との間の回路が短絡され、それに対応する負荷抵抗器の抵抗の関数としての絶縁変圧器４０にまたがる電流の流れに対する伝達経路が形成される。例えば、指スイッチ３０の各々は、絶縁変圧器４０にまたがる電流が流れない開位置を含む。指スイッチ３０の１つが閉位置に押下されたとき、絶縁変圧器４０が短絡されことにより、絶縁変圧器４０にまたがるインダクタンスによる電流が流れる伝達経路が、第１の無線周波発振器４８から、絶縁変圧器４０を越えて、それぞれの指スイッチ導体３２を通り、さらに負荷抵抗器３８を通って形成される。絶縁変圧器４０にまたがる電流は、それぞれの負荷抵抗器３８の関数である。従って、電流検出抵抗器４４は、この電流を測定して、電流検出抵抗器４４を通した電圧降下を計算し得る。特に、差動増幅器４６は、電流検出抵抗器４４を通した電圧降下を増幅し得る。増幅された電圧降下は、次に、フィルタ５４によりフィルタ処理され得る。例えば、フィルタ５４は、二次アクティブフィルタを実装するように構成された電子フィルタ構成であるサレンキーフィルタであり得る。フィルタ処理された電圧降下のピークが、次に、ピーク検出器５６を使用して検出されて、バッファ５８により信号処理され得る。次に、バッファされた電圧降下信号は、所定のエネルギー閾値値が割り当てられ、これが、さらに、押下された特定の指スイッチ３０に相関される。例えば、４つの１２ビットのＡＤＣの所定のエネルギー閾値値が、指スイッチ３０の各々に割り当てられ得る。例えば、０〜１０００の間の値は、指スイッチ３０が押下されていないことを示し、１０００〜２０００の間の値は、指スイッチ３０ａが押下されたことを示し、２０００〜３０００の間の値は、指スイッチ３０ｂが押下されたことを示し、３０００〜４０９５の間の値は、指スイッチ３０ｃが押下されたことを示す。割り当てられた所定の閾値の値は、次に、１つまたは複数のプロセッサ６０に通信され得、続いて、プロセッサ６０が、無線周波出力源３６と通信して、決定された無線周波波形であって、この無線周波波形に基づいて指スイッチが押下された、無線周波波形を提供する。この波形は、次に、組織の処置のためにアクティブ電極６２に伝達され得る。
【００１７】
上述のように本明細書で特に提示および説明したものに本発明が限定されないことを当
業者が理解すると考えられる。加えて、それに反する記載がない限り、すべての添付図面
が一定の縮尺であるとは限らないことに注意が必要である。後述の請求項によってのみ限
定される本発明の範囲と趣旨とから逸脱することなく、上記の教示を考慮に入れて種々の
変更と変形とが可能である。
［形態１］
電気手術エネルギーを生成するように構成された無線周波生成器を備え、前記無線周波生成器が、検出回路を含み、前記検出回路が、
抵抗ラダーと、
前記抵抗ラダーと電気的に通信する絶縁変圧器と、
を含み、
前記検出回路が、前記絶縁変圧器にまたがるインピーダンスの変化を検出することと、インピーダンスの前記変化を複数の所定のエネルギー閾値の１つと相関させることとをするように構成される、
電気手術装置。
［形態２］
形態１に記載の電気手術装置において、
前記検出回路が、複数の指スイッチ導体を含み、前記抵抗ラダーにおける各抵抗器が、前記複数の指スイッチ導体の対応する１つに電気的に結合された負荷抵抗器である、
電気手術装置。
［形態３］
形態２に記載の電気手術装置において、
前記抵抗ラダーにおける各前記抵抗器が、前記抵抗ラダーにおける他のすべての抵抗器と異なる抵抗値をもつ、
電気手術装置。
［形態４］
形態１に記載の電気手術装置において、
前記検出回路が、第１の周波数における無線周波エネルギーを生成するように構成された第１の無線周波発振器をさらに含み、
前記無線周波生成器が、前記第１の周波数より大きな第２の周波数における無線周波エネルギーを生成するように構成された第２の無線周波発振器を含む、
電気手術装置。
［形態５］
形態４に記載の電気手術装置において、
前記第１の無線周波発振器が、前記絶縁変圧器と電気的に通信する、
電気手術装置。
［形態６］
形態５に記載の電気手術装置において、
前記検出回路が、前記第１の無線周波発振器と前記絶縁変圧器との間に配置された電流検出抵抗器を含み、前記電流検出抵抗器が、前記絶縁変圧器にまたがる電流の変化を測定するように構成された、
電気手術装置。
［形態７］
形態６に記載の電気手術装置において、
前記電流検出抵抗器が、差動増幅器と通信する、
電気手術装置。
［形態８］
形態７に記載の電気手術装置において、
前記差動増幅器が、サレンキーフィルタと通信する、
電気手術装置。
［形態９］
形態１に記載の電気手術装置において、
前記複数の所定のエネルギー閾値が、少なくとも４つの所定のエネルギー閾値を含み、
前記４つの所定のエネルギー閾値の各々が、１２ビットのＡＤＣ値を含む、
電気手術装置。
［形態１０］
形態１に記載の電気手術装置において、
前記抵抗ラダーが、３つの抵抗器を含む、
電気手術装置。
［形態１１］
電気手術エネルギーを生成するように構成された無線周波生成器を備え、前記無線周波生成器が、検出回路を含み、前記検出回路が、
複数の指スイッチ導体であって、前記複数の指スイッチ導体の各々が、電気手術手持ち部における対応する指スイッチと電気的に通信するように構成され、各前記指スイッチが、開位置と閉位置とを含み、前記複数の指スイッチ導体の各々が、少なくとも１つの抵抗器を含み、前記複数の指スイッチ導体の各々における前記少なくとも１つの抵抗器が、
集合的に抵抗ラダーを構成する、前記複数の指スイッチ導体と、
前記複数の指スイッチ導体と前記抵抗ラダーと電気的に通信する絶縁変圧器と、
を含み、
前記検出回路が、前記対応する指スイッチのいずれか１つが前記閉位置に配置されたときに、前記絶縁変圧器にまたがるインピーダンスの変化を検出するように構成された、
電気手術装置。
［形態１２］
形態１１に記載の電気手術装置において、
前記検出回路が、インピーダンスの前記変化を複数の所定のエネルギー閾値の１つと相関させるようにさらに構成された、
電気手術装置。
［形態１３］
形態１１に記載の電気手術装置において、
前記電気手術手持ち部が、３つの指スイッチを含み、
前記３つの指スイッチのうちの第１の指スイッチが、組織を切除するように構成された無線周波波形を伝達することを前記電気手術生成器に通知するように構成され、
前記３つの指スイッチのうちの第２の指スイッチが、組織を凝固させるように構成された無線周波波形を伝達することを前記電気手術生成器に通知するように構成され、
前記３つの指スイッチのうちの第３の指スイッチが、組織を凝固させるように構成された無線周波波形を伝達することと、生理食塩水の伝達を開始することとを前記電気手術生成器に通知するように構成された、
電気手術装置。
［形態１４］
形態１１に記載の電気手術装置において、
前記抵抗ラダーにおける各前記抵抗器が、対応する指スイッチ導体に電気的に結合された負荷抵抗器である、
電気手術装置。
［形態１５］
形態１４に記載の電気手術装置において、
前記抵抗ラダーにおける各前記抵抗器が、前記抵抗ラダーにおける他のすべての抵抗器と異なる抵抗値をもつ、
電気手術装置。
［形態１６］
形態１１に記載の電気手術装置において、
前記検出回路が、第１の周波数における無線周波エネルギーを生成するように構成された第１の無線周波発振器をさらに含み、前記無線周波生成器が、前記第１の周波数より大きな第２の周波数における無線周波エネルギーを生成するように構成された第２の無線周波発振器を含む、
電気手術装置。
［形態１７］
形態１６に記載の電気手術装置において、
前記第１の無線周波発振器が、前記絶縁変圧器と電気的に通信する、
電気手術装置。
［形態１８］
形態１７に記載の電気手術装置において、
前記検出回路が、前記第１の無線周波発振器と前記絶縁変圧器との間に配置された電流検出抵抗器を含み、前記電流検出抵抗器が、前記絶縁変圧器にまたがる電流の変化を測定するように構成された、
電気手術装置。
［形態１９］
形態１８に記載の電気手術装置において、
前記電流検出抵抗器が、差動増幅器と通信する、
電気手術装置。
［形態２０］
形態１２に記載の電気手術装置において、
前記複数の所定のエネルギー閾値が、少なくとも４つの所定のエネルギー閾値を含み、
前記４つの所定のエネルギー閾値の各々が、１２ビットのＡＤＣ値を含む、
電気手術装置。
［形態２１］
電気手術エネルギーを生成するように構成された無線周波生成器を備え、前記無線周波生成器が、検出回路を含み、前記検出回路が、
３つの指スイッチ導体であって、前記３つの指スイッチ導体の各々が、電気手術手持ち部における対応する指スイッチと電気的に通信するように構成され、各前記指スイッチが、開位置と閉位置とを含み、前記３つの指スイッチ導体の各々が、少なくとも１つの負荷抵抗器を含み、前記複数の指スイッチ導体の各々における前記少なくとも１つの負荷抵抗器が、集合的に抵抗ラダーを構成し、他のすべての負荷抵抗器とは異なる抵抗値をもつ、前記３つの指スイッチ導体と、
前記３つの指スイッチ導体と前記抵抗ラダーと電気的に通信する絶縁変圧器と、
第１の周波数における無線周波エネルギーを生成するように構成された第１の無線周波発振器であって、前記無線周波生成器が、前記第１の周波数より大きな第２の周波数における無線周波エネルギーを生成するように構成された第２の無線周波発振器を含む、前記第１の無線周波発振器と、
前記第１の無線周波発振器と前記絶縁変圧器との間に配置された電流検出抵抗器であって、前記電流検出抵抗器が、前記絶縁変圧器にまたがる電流の変化を測定するように構成された、前記電流検出抵抗器と、
前記電流検出抵抗器と通信する差動増幅器と、
前記差動増幅器と通信するサレンキーフィルタと、
を含み、
前記検出回路が、前記対応する指スイッチのいずれか１つが前記閉位置に配置されたときに前記絶縁変圧器にまたがるインピーダンスの変化を検出することと、前記インピーダンスの変化を複数の所定のエネルギー閾値の１つと相関させることとをするように構成され、前記複数の所定のエネルギー閾値が、少なくとも４つの所定のエネルギー閾値を含み、前記４つの所定のエネルギー閾値の各々が、１２ビットのＡＤＣ値を含む、
電気手術装置。
【図１】
0006397573.tif 000002
【図２】
0006397573.tif 000003
【図３】
0006397573.tif 000004